(57)【要約】【課題】一つの定電流電源を用いて複数の光源を同時に点灯することができる車両用灯具を提供する。【解決手段】車両用灯具１は、定電流を出力する電源回路４０と、電源回路４０に接続されるメイン光源１１と、それぞれがメイン光源１１に対して直列接続される一方、互いに並列接続される第１サブ光源１２、第２サブ光源１３及び抵抗２０と、これらに電流が流れる状態と電流が流れない状態とを切り替える３つのスイッチング素子５１〜５３と、３つのスイッチング素子５１〜５３を制御するＳＷ制御回路５０と、を有している。ＳＷ制御回路５０は、第１サブ光源１２及び第２サブ光源１３のそれぞれに電流が流れる期間をＰＷＭ制御して、第１サブ光源１２及び第２サブ光源１３を点灯するとともに、第１サブ光源１２及び第２サブ光源１３の全部に電流が流れていない場合に抵抗２０に電流を流している。【選択図】図１
2019192461.tif 000002
【特許請求の範囲】
【請求項１】
定電流を出力する電源回路と、
前記電源回路に接続されるメイン光源と、
それぞれが前記メイン光源に対して直列接続される一方、互いに並列接続される複数のサブ光源と、
前記メイン光源に対して直列接続される一方、前記複数のサブ光源に対して並列接続される負荷と、
前記複数のサブ光源に対応して設けられ、当該サブ光源について電流が流れる状態と電流が流れない状態とを切り替える複数のサブ切替部と、
前記負荷について電流が流れる状態と電流が流れない状態とを切り替える抵抗切替部と、
前記複数のサブ切替部及び前記抵抗切替部を制御する制御回路と、を有し、
前記制御回路は、前記複数のサブ光源のそれぞれに電流が流れる期間をＰＷＭ制御して、前記複数のサブ光源を択一的に点灯するとともに、前記複数のサブ光源の全部に電流が流れていない場合に前記負荷に電流を流す
車両用灯具。
【請求項２】
前記メイン光源は、前記複数のサブ光源のそれぞれよりも大きな光量に設定された光源である
請求項１記載の車両用灯具。
【請求項３】
前記制御回路は、
前記複数のサブ光源及び前記負荷のそれぞれに電流が順番に流れるような制御を行う
請求項１又は２記載の車両用灯具。
【請求項４】
前記制御回路は、
前記複数のサブ光源のそれぞれに電流が流れる期間の総和と、前記負荷に電流が流れる期間との和がＰＷＭ周期と一致するような制御を行う
請求項１から３のいずれかに記載の車両用灯具。
【請求項５】
前記メイン光源に並列接続され、前記制御回路に制御されることによって前記メイン光源の両端間を短絡させる状態へと切り替える短絡切替部と、をさらに有し、
前記制御回路は、
前記メイン光源を点灯と消灯とで切り替える際に、前記メイン光源と前記負荷との組み合わせに電流が流れるような制御を行う
請求項１から４のいずれかに記載の車両用灯具。
【発明の詳細な説明】
【技術分野】
【０００１】
本発明は、車両用灯具に関する。
【背景技術】
【０００２】
従来より、高い発光効率及び優れた意匠性を備えることから、ＬＥＤ等の半導体素子を光源として用いる車両用灯具が提案されている。この類の車両用灯具においては、一つの定電流電源を用いて複数の光源を同時に点灯する制御方式として、光源のそれぞれを点灯する複数のスイッチについてオンする期間を択一的に切り替えることで、複数の光源が同時に点灯しているようにみえる手法が知られている。
【０００３】
この制御方式においては、使用する光源の数が増えると、光源一つあたりの点灯時間が短くなってしまうことから、光源一つあたりの光量（光束）が低下してしまうという問題がある。そのため、光源に供給される電流を増加させて、光源に必要な光量を確保する必要がある。ところが、半導体素子の光源では、電流をパルス状に供給したとしても使用できる電流の上限が決まっており、それを超えて電流を供給することはできない。また、電流の供給量を増やすことで、電気エネルギーを光エネルギーに変換する効率が低下するので、必要以上に電流量を増やすことに繋がってしまう。
【０００４】
ここで、例えば特許文献１には、ＬＥＤを駆動する定電流駆動回路が開示されている。この定電流駆動回路は、第１電流で第１ＬＥＤを駆動し、第１電流より大きな第２電流で第２ＬＥＤを駆動する。チャージポンプ回路は、複数の昇圧率を切り替えることができる。定電流回路は、第１ＬＥＤ及び第２ＬＥＤの駆動経路上にそれぞれ設けられる。監視回路は、各定電流回路の両端の電圧を監視する。ステートマシンは、第１ＬＥＤを駆動する際、監視回路による監視電圧がしきい値電圧を下回ったとき、チャージポンプ回路の昇圧率を上昇させる。一方、ステートマシンは、第２ＬＥＤを駆動する際、その駆動に先立ち、監視回路による監視結果に関わらず、チャージポンプ回路の昇圧率を上昇させる。また、ステートマシンは、第２ＬＥＤを駆動した後、昇圧率を上昇前の所定値に再設定する。
【０００５】
また、例えば特許文献２には、ＬＥＤ点灯回路が開示されている。このＬＥＤ点灯回路は、制御回路を備えている。制御回路は、第１光源ブロックと第２光源ブロックとの両方を点灯させた状態から、第１光源ブロックだけを点灯させた状態に切り替えるときに、まず、第２短絡回路を動作させて第２光源ブロックを短絡させる。そして、制御回路は、第１所定時間の経過後に、第２短絡回路に加えて第１短絡回路を動作させて第２光源ブロックを短絡させる。
【先行技術文献】
【特許文献】
【０００６】
【特許文献１】特開２００６−３２０１５８号公報
【特許文献２】特開２０１３−４７０４７号公報
【発明の概要】
【発明が解決しようとする課題】
【０００７】
しかしながら、特許文献１に開示された手法によれば、ＬＥＤを切り替える際に、駆動回路の出力電流を変える必要があり、駆動回路が複雑化してしまうという不都合がある。
【０００８】
また、特許文献２に開示された手法によれば、短絡しない第１光源ブロックに過電流が流れてしまうという問題がある。
【０００９】
本発明はかかる事情に鑑みてなされたものであり、その目的は、一つの定電流電源を用いて複数の光源を同時に点灯することができる車両用灯具を提供することである。
【課題を解決するための手段】
【００１０】
かかる課題を解決するために、本発明は、定電流を出力する電源回路と、電源回路に接続されるメイン光源と、それぞれがメイン光源に対して直列接続される一方、互いに並列接続される複数のサブ光源と、メイン光源に対して直列接続される一方、複数のサブ光源に対して並列接続される負荷と、複数のサブ光源に対応して設けられ、当該サブ光源について電流が流れる状態と電流が流れない状態とを切り替える複数のサブ切替部と、負荷について電流が流れる状態と電流が流れない状態とを切り替える抵抗切替部と、複数のサブ切替部及び抵抗切替部を制御する制御回路と、を有し、制御回路は、複数のサブ光源のそれぞれに電流が流れる期間をＰＷＭ制御して、複数のサブ光源を択一的に点灯するとともに、複数のサブ光源の全部に電流が流れていない場合に負荷に電流を流す車両用灯具を提供する。
【００１１】
ここで、本発明において、メイン光源は、複数のサブ光源のそれぞれよりも大きな光量に設定された光源であることが好ましい。
【００１２】
また、本発明において、制御回路は、複数のサブ光源及び負荷のそれぞれに電流が順番に流れるような制御を行うことが好ましい。
【００１３】
また、本発明において、制御回路は、複数のサブ光源のそれぞれに電流が流れる期間の総和と、負荷に電流が流れる期間との和がＰＷＭ周期と一致するような制御を行うことが好ましい。
【００１４】
また、本発明は、メイン光源に並列接続され、制御回路に制御されることによってメイン光源の両端間を短絡させる状態へと切り替える短絡切替部と、をさらに有していることが好ましい。この場合、制御回路は、メイン光源を点灯と消灯とで切り替える際に、メイン光源と負荷との組み合わせに電流が流れるような制御を行うことが好ましい。
【発明の効果】
【００１５】
本発明に係る車両用灯具によれば、一つの定電流電源を用いて複数の光源を同時に点灯することができる。連続点灯させるメイン光源とＰＷＭ制御により点灯させるサブ光源とを同時点灯させることができるため、光束が異なる光源を同時点灯することができる。光束を多く必要とするメイン光源を連続点灯することができるので、光源に供給される電流のピーク値を増やさなくとも必要な光束を得ることができる。  
【図面の簡単な説明】
【００１６】
【図１】本実施形態に係る車両用灯具を模式的に示す構成図
【図２】メイン光源並びに第１サブ光源及び第２サブ光源を同時に点灯する点灯パターンの概念を示す説明図
【図３】第１サブ光源及び第２サブ光源の少なくとも一方を消灯する点灯パターンの概念を示す説明図
【図４】メイン光源を点灯する又は消灯する点灯パターンの概念を示す説明図
【発明を実施するための形態】
【００１７】
以下、本実施形態に係る車両用灯具１について説明する。ここで、図１は、本実施形態に係る車両用灯具１を模式的に示す構成図である。
【００１８】
車両用灯具１は、光源ユニット１０と、点灯回路３０とで構成されている。この車両用灯具１は、直流電源２からの電流を、点灯回路３０を介して光源ユニット１０へと供給することで点灯する。直流電源２は、車両に搭載されたバッテリであり、負極が接地されている。
【００１９】
光源ユニット１０は、メイン光源１１と、複数のサブ光源、本実施形態では２つのサブ光源１２，１３（第１サブ光源１２及び第２サブ光源１３）と、抵抗２０とを備えている。
【００２０】
メイン光源１１は、第１サブ光源１２及び第２サブ光源１３のいずれよりも大きな光量となる光源であり、所要の光束を形成する。メイン光源１１には、半導体素子（発光素子）である発光ダイオード（ＬＥＤ）が用いられている。メイン光源１１は、一つのＬＥＤ、又は直列接続された複数のＬＥＤから構成されている。メイン光源１１のアノード側は、点灯回路３０を介して、直流電源２の正極に接続されている。
【００２１】
個々のサブ光源１２，１３は、メイン光源１１よりも小さな光量となる光源であり、それぞれ対応した光量に設定されている。個々のサブ光源１２，１３は、メイン光源１１の光束とともに所要の光束を形成する。個々のサブ光源１２，１３は、一つのＬＥＤ、又は直列接続された複数のＬＥＤから構成されている。これらのサブ光源１２，１３は、メイン光源１１に対してそれぞれ直列、かつ、互いに並列となるように接続されている。個々のサブ光源１２，１３のアノード側は、メイン光源１１のカソード側に接続されている。また、個々のサブ光源１２，１３のカソード側は、後述するスイッチング素子５１，５２を介して接地されている。
【００２２】
抵抗２０は、メイン光源１１並びに第１サブ光源１２及び第２サブ光源１３とともに動作する負荷である。この抵抗２０は、メイン光源１１に対して直列、かつ、第１サブ光源１２及び第２サブ光源１３に対してそれぞれ並列となるように接続されている。抵抗の一方の端子は、メイン光源１１のカソード側に接続され、その他方の端子は、後述するスイッチング素子５３を介して接地されている。抵抗２０は、メイン光源１１と抵抗２０との直列回路に電流が流れる際の両端電圧が、メイン光源１１と第１サブ光源１２との直列回路、又はメイン光源１１と第２サブ光源１３との直列回路に電流が流れる際の両端電圧と同等となるように、その抵抗値が設定されている。
【００２３】
点灯回路３０は、電源回路４０と、ＳＷ制御回路５０とで構成されている。この点灯回路３０は、一定の電流を供給して、光量が異なる複数の光源、すなわち、メイン光源１１並びに第１サブ光源１２及び第２サブ光源１３を駆動（点灯）するための回路である。
【００２４】
電源回路４０は、メイン光源１１並びに第１サブ光源１２、第２サブ光源１３及び抵抗２０に一定の電流を供給する回路であり、光源に応じて出力電圧を変化させることができる。電源回路４０には、例えば定電流出力型ＤＣ／ＤＣコンバータ等を用いることができる。電源回路４０の入力端子４１には、直流電源２が接続されている。また、電源回路４０の出力端子４２には、メイン光源１１と、互いに並列接続され第１サブ光源１２、第２サブ光源１３及び抵抗２０とが直列に接続されている。
【００２５】
ＳＷ制御回路５０は、複数のスイッチング素子５１〜５４を制御して、光源ユニット１０の点灯を制御する回路である。個々のスイッチング素子５１〜５４には、例えばＭＯＳＦＥＴが用いられている。
【００２６】
第１スイッチング素子５１は、第１サブ光源１２について電流が流れる状態と電流が流れない状態とを切り替えるサブ切替部である。第１スイッチング素子５１のソースは接地され、ドレインは第１サブ光源１２のカソード側に接続されている。第２スイッチング素子５２は、第２サブ光源１３について電流が流れる状態と電流が流れない状態とを切り替えるサブ切替部である。第２スイッチング素子５２のソースは接地され、ドレインは第２サブ光源１３のカソード側に接続されている。第３スイッチング素子５３は、抵抗２０について電流が流れる状態と電流が流れない状態とを切り替える抵抗切替部である。第３スイッチング素子５３のソースは接地され、ドレインは抵抗２０に接続されている。第４スイッチング素子５４は、メイン光源１１に並列接続され、メイン光源１１の両端間を短絡させる状態へと切り替える短絡切替部である。第４スイッチング素子５４のソースはメイン光源１１のカソード側に接続され、ドレインはメイン光源１１のアノード側に接続されている。
【００２７】
各スイッチング素子５１〜５４のゲートは、ＳＷ制御回路５０に接続され、ＳＷ制御回路５０から制御信号がそれぞれ印加される。各スイッチング素子５１〜５４は、ローレベルの制御信号が印加されるとオフ状態となり、ドレイン−ソース間に電流が流れない状態となる。一方、各スイッチング素子５１〜５４は、ハイレベルの制御信号が印加されるとオン状態となり、ドレイン−ソース間に電流が流れる状態となる。
【００２８】
第１スイッチング素子５１がオン状態の場合、第１サブ光源１２の両端に所定の電圧が印加されて電流が流れ、第１サブ光源１２が点灯する。一方、第１スイッチング素子５１がオフ状態の場合、第１サブ光源１２に電流が流れないので、第１サブ光源１２が消灯する。
【００２９】
第２スイッチング素子５２がオン状態の場合、第２サブ光源１３の両端に所定の電圧が印加されて電流が流れ、第２サブ光源１３が点灯する。一方、第２スイッチング素子５２がオフ状態の場合、第２サブ光源１３に電流が流れないので、第２サブ光源１３が消灯する。
【００３０】
第３スイッチング素子５３がオン状態の場合、抵抗２０の両端に所定の電圧が印加されて電流が流れる。一方、第３スイッチング素子５３がオフ状態の場合、抵抗２０には電流が流れない。
【００３１】
第４スイッチング素子５４がオン状態の場合、メイン光源１１の両端間が短絡され、メイン光源１１に印加される電圧が低下するので、メイン光源１１が消灯する。一方、第４スイッチング素子５４がオフ状態の場合、メイン光源１１の両端に所定の電圧が印加されて、メイン光源１１が点灯する。
【００３２】
本実施形態の特徴の一つとして、ＳＷ制御回路５０は、光源ユニット１０の点灯時、基本的に、メイン光源１１を連続的に点灯する。この際、ＳＷ制御回路５０は、第１サブ光源１２及び第２サブ光源１３のそれぞれに電流が流れる期間をＰＷＭ制御して、第１サブ光源１２及び第２サブ光源１３を択一的に点灯するとともに、第１サブ光源１２及び第２サブ光源１３の全部に電流が流れていない場合に抵抗２０に電流を流すような制御を行う。具体的には、ＳＷ制御回路５０は、第１サブ光源１２、第２サブ光源１３及び抵抗２０について電流が択一的に流れるような制御を行う。
【００３３】
以下、図２から図４を参照し、ＳＷ制御回路５０による点灯動作について説明する。ここで、図２は、メイン光源１１並びに第１サブ光源１２及び第２サブ光源１３を同時に点灯する点灯パターンの概念を示す説明図である。図３は、第１サブ光源１２及び第２サブ光源１３の少なくとも一方を消灯する点灯パターンの概念を示す説明図である。図４は、メイン光源１１を点灯する又は消灯する点灯パターンの概念を示す説明図である。
【００３４】
まず、図２を参照し、メイン光源１１並びに第１サブ光源１２及び第２サブ光源１３を同時に点灯する点灯パターン（同時点灯パターン）の制御方法について説明する。この同時点灯パターンにおいて、ＳＷ制御回路５０は、第４スイッチング素子５４に印加される制御信号をローレベルにし、第４スイッチング素子５４を継続的にオフ状態にする。第４スイッチング素子５４のオフ状態に対応して、メイン光源１１は継続的に点灯する。
【００３５】
一方、ＳＷ制御回路５０は、第１スイッチング素子５１、第２スイッチング素子５２に印加される制御信号をＰＷＭ制御する。具体的には、ＳＷ制御回路５０は、第１スイッチング素子５１及び第２スイッチング素子５２に印加する制御信号のオンデューティ及びオンタイミングを制御し、第１スイッチング素子５１及び第２スイッチング素子５２を択一的に所定の期間Ｔ１，Ｔ２だけオン状態にする。この際、ＳＷ制御回路５０は、第１スイッチング素子５１及び第２スイッチング素子５２の双方がオフ状態となる期間Ｔ３を設定する。そして、ＳＷ制御回路５０は、第３スイッチング素子５３に印加する制御信号のオンデューティ及びオンタイミングを制御して、第１スイッチング素子５１及び第２スイッチング素子５２の双方がオフ状態となる期間Ｔ３において第３スイッチング素子をオン状態にする。
【００３６】
これにより、ＳＷ制御回路５０は、メイン光源１１及び第１サブ光源１２の組み合わせ、メイン光源１１及び第２サブ光源１３の組み合わせ、並びにメイン光源１１及び抵抗２０の組み合わせについて、これらを順番に点灯する。この場合において、メイン光源１１は連続的に点灯する。一方、第１サブ光源１２及び第２サブ光源１３が順番に点灯し、これに続き、抵抗２０に電流を流す。このような制御を所定のＰＷＭ周期、例えば５ｍｓｅｃ以内の周期（２００Ｈｚ以上の周波数）で繰り返し行うことで、第１サブ光源１２及び第２サブ光源１３を順番に点灯してこれに続き抵抗２０に電流を流すという動作を繰り返しながら、メイン光源１１を継続的に点灯することとなる。これにより、メイン光源１１とともに、第１サブ光源１２及び第２サブ光源１３が同時に点灯しているように見えることとなる。
【００３７】
ここで、ＳＷ制御回路５０は、以下に示す第１及び第２の条件を満たすような制御を行っている。まず、第１の条件は、第１サブ光源１２が点灯する期間Ｔ１と、第２サブ光源１３が点灯する期間Ｔ２と、抵抗２０に電流が流れる期間Ｔ３との和が、ＰＷＭ周期（例えば５ｍｓｅｃ）と一致する、ことである。換言すれば、第１スイッチング素子５１に印加する制御信号のオンデューティと、第２スイッチング素子５２に印加する制御信号のオンデューティと、第３スイッチング素子５３に印加する制御信号のオンデューティとの和が１００％となる。つぎに、第２の条件は、第１サブ光源１２が点灯する期間Ｔ１、第２サブ光源１３が点灯する期間Ｔ２及び抵抗２０に電流が流れる期間Ｔ３がそれぞれ同一ではない、ことである。
【００３８】
つぎに、図３を参照し、第１サブ光源１２及び第２サブ光源１３の少なくとも一方を消灯する点灯パターンの制御方法について説明する。ＳＷ制御回路５０は、基本的に、同時点灯パターンと同様の制御を行うが、以下に示す点において相違する。
【００３９】
図３（ａ）に、第２サブ光源１３を消灯する場合の制御方法を示す。この場合、第２サブ光源１３が点灯する期間Ｔ２、すなわち、第２スイッチング素子５２に印加する制御信号のオンデューティはゼロとなる。したがって、同時点灯パターン（図２参照）の期間Ｔ２と対応する期間では、第１スイッチング素子５１及び第２スイッチング素子５２の双方がオフ状態となる。そのため、ＳＷ制御回路５０は、第３スイッチング素子５３に印加する制御信号のオンデューティを増加させ、第３スイッチング素子５３のオン状態で置き換える。これにより、ＳＷ制御回路５０は、第１スイッチング素子５１のみを所定の期間Ｔ１だけオン状態にする。そして、ＳＷ制御回路５０は、第１スイッチング素子５１及び第２スイッチング素子５２の双方がオフ状態となる期間Ｔ３において第３スイッチング素子をオン状態にする。換言すれば、本制御方法では、第１サブ光源１２を期間Ｔ１だけ点灯してこれに続き抵抗２０に電流を流すという動作を繰り返しながら、メイン光源１１を継続的に点灯することとなる。
【００４０】
図３（ｂ）に、第１サブ光源１２を消灯する場合の制御方法を示す。この場合、第１サブ光源１２が点灯する期間Ｔ１、すなわち、第１スイッチング素子５１に印加する制御信号のオンデューティはゼロとなる。したがって、同時点灯パターン（図２参照）の期間Ｔ１と対応する期間では、第１スイッチング素子５１及び第２スイッチング素子５２の双方がオフ状態となる。そのため、ＳＷ制御回路５０は、第３スイッチング素子５３に印加する制御信号のオンデューティを増加させ、第３スイッチング素子５３のオン状態で置き換える。これにより、ＳＷ制御回路５０は、第２スイッチング素子５２のみを所定の期間Ｔ２だけオン状態にする。そして、ＳＷ制御回路５０は、第１スイッチング素子５１及び第２スイッチング素子５２の双方がオフ状態となる期間Ｔ３において第３スイッチング素子をオン状態にする。換言すれば、本制御方法では、第２サブ光源１３のみが点灯し、これに続き、抵抗２０に電流が流れる。換言すれば、本制御手法では、第２サブ光源１３を期間Ｔ２だけ点灯してこれに続き抵抗２０に電流を流すという動作を繰り返しながら、メイン光源１１を継続的に点灯することとなる。
【００４１】
図３（ｃ）に、第１サブ光源１２及び第２サブ光源１３を消灯する場合の制御方法を示す。この場合、第１スイッチング素子５１及び第２スイッチング素子５２に印加する制御信号のオンデューティはそれぞれゼロとなる。したがって、同時点灯パターン（図２参照）の期間Ｔ１，Ｔ２と対応する期間では、第１スイッチング素子５１及び第２スイッチング素子５２の双方がオフ状態となる。そのため、ＳＷ制御回路５０は、第３スイッチング素子５３に印加する制御信号のオンデューティを増加させ、第３スイッチング素子のオン状態で置き換える。そして、ＳＷ制御回路５０は、第１スイッチング素子５１及び第２スイッチング素子５２の双方がオフ状態となる期間Ｔ３（ＰＷＭ周期の全期間）において第３スイッチング素子をオン状態にする。換言すれば、本制御方法では、抵抗２０に電流を流しながら、メイン光源１１を継続的に点灯することとなる。
【００４２】
つぎに、図４を参照し、メイン光源１１を点灯する又は消灯する点灯パターンの制御方法について説明する。ＳＷ制御回路５０は、メイン光源１１を点灯から消灯へと切り替える消灯タイミング、又はメイン光源１１を消灯から点灯へと切り替える点灯タイミングにおいて、メイン光源１１及び抵抗２０の組み合わせとなるように制御を行う。
【００４３】
このように本実施形態において、ＳＷ制御回路５０は、第１サブ光源１２及び第２サブ光源１３のそれぞれに電流が流れる期間をＰＷＭ制御して、第１サブ光源１２及び第２サブ光源１３を点灯するとともに、第１サブ光源１２及び第２サブ光源１３の全部に電流が流れていない場合に抵抗２０に電流を流している。
【００４４】
特に本実施形態において、メイン光源１１は、第１サブ光源１２及び第２サブ光源１３のそれぞれよりも大きな光量に設定された光源となっている。そして、ＳＷ制御回路５０は、第１サブ光源１２、第２サブ光源１３の及び抵抗２０のそれぞれに電流が順番で流れるような制御を行っている。この場合、ＳＷ制御回路５０は、第１サブ光源１２及び第２サブ光源１３のそれぞれに電流が流れる期間Ｔ１，Ｔ２の総和と、抵抗２０に電流が流れる期間Ｔ３との和がＰＷＭ周期と一致するように制御を行っている。
【００４５】
この構成によれば、連続点灯するメイン光源１１と、ＰＷＭ制御を行う第１サブ光源１２及び第２サブ光源１３とを同時に点灯することができる。したがって、一つの定電流電源を用いて、光束が異なる光源を同時に点灯することができる。
【００４６】
従来の手法によれば、同時に点灯する回路数が増えると、光量を確保するために光源の電流を増加させる必要があった。しかしながら、本実施形態によれば、光量が大きいメイン光源を連続で点灯することができるので、光源の電流を増加させなくても必要な光束を得ることができる。
【００４７】
また、本実施形態において、ＳＷ制御回路５０は、メイン光源１１を点灯と消灯とで切り替える際に、メイン光源１１と抵抗２０との組み合わせに電流が流れるような制御を行っている。
【００４８】
この構成によれば、メイン光源１１の切り替えによる電源回路４０の電力変動を抵抗２０で抑制することができる。これにより、部品の負担やノイズの発生を低減することができる。
【００４９】
以上、本発明の実施形態に係る車両用灯具について説明したが、本発明は上述した実施形態に限定されることなく、その発明の範囲内において種々の変形が可能であることはいうまでもない。
【００５０】
例えば本実施形態では、２系統のサブ光源を例示した。しかしながら、サブ光源は複数の系統であればよく、２系統に限定されるものではない。
【符号の説明】
【００５１】
１      車両用灯具
２      直流電源
１０    光源ユニット
１１    メイン光源
１２    第１サブ光源
１３    第２サブ光源
２０    抵抗（負荷）
３０    点灯回路
４０    電源回路
４１    入力端子
４２    出力端子
５０    ＳＷ制御回路（制御回路）
５１    第１スイッチング素子（サブ切替部）
５２    第２スイッチング素子（サブ切替部）
５３    第３スイッチング素子（負荷切替部）
５４    第４スイッチング素子（短絡切替部）
【図１】
2019192461.tif 000003
【図２】
2019192461.tif 000004
【図３】
2019192461.tif 000005
【図４】
2019192461.tif 000006